(57)【要約】【課題】  フェンスの支持強度を維持しつつ、既設のガードフェンスを容易に嵩上げをすることができるガードフェンス嵩上げフェンス構造及びガードフェンス嵩上げ工法の提供。【解決手段】  複数本の嵩上げ支柱１と、両嵩上げ支柱１、１間に張られたネット２と、複数本の支え柱３とを備え、嵩上げ支柱１の下端部には、ガードフェンス７の既設支柱７１の上部側面に沿って接続固定する第１固定金具４を備え、支え柱３の上端部には、該支え柱３を傾斜状態で前記嵩上げ支柱１の所定位置に接続固定する第２固定金具５を備え、支え柱３の下端部には、ガードフェンス７の設置付近の地面にねじ込み設置可能なスクリュー杭６を備える。【選択図】      図２
2014227763.tif 000002
【特許請求の範囲】
【請求項１】
複数本の嵩上げ支柱と、両嵩上げ支柱間に張られたネットと、複数本の支え柱とを備え、
前記嵩上げ支柱の下端部には、前記ガードフェンスの既設支柱の上部側面に沿って接続固定する第１固定金具を備え、
前記支え柱の上端部には、該支え柱を傾斜状態で前記嵩上げ支柱の所定位置に接続固定する第２固定金具を備え、
前記支え柱の下端部には、ガードフェンスの設置付近の地面にねじ込み設置可能なスクリュー杭を備えていることを特徴とするガードフェンス嵩上げフェンス構造。
【請求項２】
請求項１に記載のガードフェンス嵩上げフェンス構造において、
前記第２固定金具は、前記支え柱に対し角度調整が可能であることを特徴とするガードフェンス嵩上げフェンス構造。
【請求項３】
請求項１又は２に記載のガードフェンス嵩上げフェンス構造において、
前記スクリュー杭は、前記支え柱の下端部に対し着脱可能であり、かつ角度調整が可能であることを特徴とするガードフェンス嵩上げフェンス構造。
【請求項４】
請求項１〜３のいいづれか１項に記載のガードフェンス嵩上げフェンス構造において、
前記嵩上げ支柱には複数の線材挿通孔を備え、前記嵩上げフェンスのネットが前記線材挿通孔を利用して両嵩上げ支柱間に張られた複数本の線材で構成されていることを特徴とするガードフェンス嵩上げフェンス構造。
【請求項５】
既設のガードフェンスの各既設支柱の上部側面に沿って嵩上げ支柱の下端部を接続固定し、
前記両嵩上げ支柱間に線材を張って嵩上げフェンスのネットを構成し、
前記ガードフェンスの設置付近の地面にねじ込んだスクリュー杭と前記嵩上げ支柱との間を支え柱で連結して前記嵩上げフェンスを支持するようにしたことを特徴とするガードフェンス嵩上げ工法。
【発明の詳細な説明】
【技術分野】
【０００１】
本発明は、一般道路や高速道路等の脇に既設されているガードフェンスの高さを嵩上げすることで道路内への鹿の侵入を防止するガードフェンス嵩上げフェンス構造及びガードフェンス嵩上げ工法に関する。
【背景技術】
【０００２】
従来、一般道路や高速道路の脇には、動物や人の侵入を防止するために、高さ約１５００ｍｍほどのガードフェンスが設置されている。
【先行技術文献】
【特許文献】
【０００３】
【特許文献１】特開２００５−１７１５６０号公報
【発明の概要】
【発明が解決しようとする課題】
【０００４】
ところが、ガードフェンスの高さが約１５００ｍｍあれば、人や小動物等の侵入を阻止できるが、特に鹿は容易に飛び越せるため、走行自動車との衝突事故が多発しているのが現状である。
そこで、ガードフェンスを単に嵩上げすれば問題は解決しそうであるが、既設のガードフェンスの基礎は、フェンスの高さに応じた強度設定であるため、嵩上げによる重量の増加や風圧の増加によりフェンス支持強度が不足するという問題点があった。
【０００５】
本発明の解決しようとする課題は、フェンスの支持強度を維持しつつ、既設のガードフェンスを容易に嵩上げをすることができるガードフェンス嵩上げフェンス構造及びガードフェンス嵩上げ工法を提供することにある。
【課題を解決するための手段】
【０００６】
上記課題を解決するため請求項１記載のガードフェンス嵩上げフェンス構造は、複数本の嵩上げ支柱と、両嵩上げ支柱間に張られたネットと、複数本の支え柱とを備え、
前記嵩上げ支柱の下端部には、前記ガードフェンスの既設支柱の上部側面に沿って接続固定する第１固定金具を備え、
前記支え柱の上端部には、該支え柱を傾斜状態で前記嵩上げ支柱の所定位置に接続固定する第２固定金具を備え、
前記支え柱の下端部には、ガードフェンスの設置付近の地面にねじ込み設置可能なスクリュー杭を備えていることを特徴とする手段とした。
【０００７】
また、請求項２記載のガードフェンス嵩上げフェンス構造は、請求項１に記載のガードフェンス嵩上げフェンス構造において、
前記第２固定金具は、前記支え柱に対し角度調整が可能であることを特徴とする手段とした。
【０００８】
また、請求項３記載のガードフェンス嵩上げフェンス構造は、請求項１又は２に記載のガードフェンス嵩上げフェンス構造において、
前記スクリュー杭は、前記支え柱の下端部に対し着脱可能であり、かつ角度調整が可能であることを特徴とする手段とした。
【０００９】
また、請求項４記載のガードフェンス嵩上げフェンス構造は、請求項１〜３のいいづれか１項に記載のガードフェンス嵩上げフェンス構造において、
前記嵩上げ支柱には複数の線材挿通孔を備え、前記嵩上げフェンスのネットが前記線材挿通孔を利用して両嵩上げ支柱間に張られた複数本の線材で構成されていることを特徴とする手段とした。
【００１０】
また、請求項５記載のガードフェンス嵩上げ工法は、既設のガードフェンスの各既設支柱の上部側面に沿って嵩上げ支柱の下端部を接続固定し、
前記両嵩上げ支柱間に線材を張って嵩上げフェンスのネットを構成し、
前記ガードフェンスの設置付近の地面にねじ込んだスクリュー杭と前記嵩上げ支柱との間を支え柱で連結して前記嵩上げフェンスを支持するようにしたことを特徴とする手段とした。
【発明の効果】
【００１１】
請求項１記載のガードフェンス嵩上げフェンス構造では、上述のように構成されるため、嵩上げ支柱の下端部に備えた第１固定金具により、該嵩上げ支柱をガードフェンスの既設支柱の上部側面に沿って容易に接続固定することができる。
また、支え柱の上端部に備えた第２固定金具と下端部に備えたスクリュー杭により、支え柱で嵩上げ支柱と地面との間を傾斜状態で支持することができる。
従って、フェンスの支持強度を維持しつつ、既設のガードフェンスを容易に嵩上げすることができるようになるという効果が得られる。
【００１２】
請求項２記載のガードフェンス嵩上げフェンス構造では、上述のように、支え柱に対し第２固定金具の角度調整が可能であるため、支え柱を任意の傾斜角度に設定することができる。
【００１３】
請求項３記載のガードフェンス嵩上げフェンス構造では、上述のように、スクリュー杭は、支え柱の下端部に対し着脱可能であるため、先ず地面にスクリュー杭をねじ込み固定した後に、支え柱に連結することができる。
また、支え柱に対しスクリュー杭の連結角度調整が可能であるため、スクリュー杭のねじ込み角度と支え柱の傾斜角度を任意に設定することができる。
【００１４】
請求項４記載のガードフェンス嵩上げフェンス構造では、上述のように、嵩上げ支柱には複数の線材挿通孔を備えるため、線材挿通孔を利用して両嵩上げ支柱間に複数本の線材を張って嵩上げフェンスのネットを容易に構成することができる。
【００１５】
請求項５記載のガードフェンス嵩上げ工法では、上述のように、既設のガードフェンスの各既設支柱の上部側面に沿って嵩上げ支柱の下端部を接続固定し、両嵩上げ支柱間に線材を張って嵩上げフェンスのネットを構成し、ガードフェンスの設置付近の地面にねじ込んだスクリュー杭と嵩上げ支柱との間を支え柱で連結して嵩上げフェンスを支持するようにしたことで、ガードフェンスを容易に嵩上げすることができると共に、地面にねじ込んだスクリュー杭により嵩上げフェンスを支える支え柱の下端部を地面に対し強固に固定することができる。
従って、フェンスの支持強度を維持しつつ、既設のガードフェンスを容易に嵩上げをすることができるようになるという効果が得られる。
【図面の簡単な説明】
【００１６】
【図１】実施例１のガードフェンス嵩上げフェンス構造を示す正面図である。
【図２】実施例１のガードフェンス嵩上げフェンス構造を示す側面図である。
【図３】第１固定金具の詳細を示す横断面図である。
【図４】線材挿通孔の詳細を示す正面図である。
【図５】線材挿通孔の詳細を示す側面図である。
【図６】第２固定金具の詳細を示す横断面図である。
【図７】実施例２のガードフェンス嵩上げフェンス構造における第１固定金具の詳細を示す横断面図である。
【発明を実施するための形態】
【００１７】
以下にこの発明の実施例を図面に基づいて説明する。
【実施例１】
【００１８】
まず、この実施例１のガードフェン嵩上げフェンス構造を図面に基づいて説明する。
このガードフェンス嵩上げフェンス構造は、図１、２に示すように、複数本の嵩上げ支柱１と、両嵩上げ支柱１、１間に張られたネット２と、複数本の支え柱３と、第１固定金具４と、第２固定金具５と、スクリュー杭６と、を備えている。
【００１９】
さらに詳述すると、前記嵩上げ支柱１は、既設のガードフェンス７の既設支柱７１の上部に接続するもので、その下端部には既設支柱７１の上部側面に沿って接続するための第１固定金具４が２個備えられている。
この第１固定金具４は、図３に詳細を示すように、平板４１と湾曲板４２との間に既設支柱７１を挟んでボルト締めすることで嵩上げ支柱１を接続固定するようになっている。
【００２０】
前記ネット２は、各既設支柱７１に接続された両嵩上げ支柱１、１間に張られるもので、この実施例１では鉄線（線材）２１が用いられている。
なお、嵩上げ支柱１には、図４、５に示すように、複数の線材挿通孔１１を備えていて、この線材挿通孔１１を利用して図１に示すように、両嵩上げ支柱１、１間に鉄線２１を張ることでネット２を構成させている。
【００２１】
前記支え柱３は、ガードフェンス７の設置付近の地面にねじ込んだスクリュー杭６と嵩上げ支柱１との間に接続して嵩上げフェンスを支持する役目をなすもので、この実施例１ではＬ型鋼が用いられている。
この支え柱３の上端部には角度調整可能な状態で前記第２固定金具５が備えられている。
この第２固定金具５は、図６に詳細を示すように、平板５１と湾曲板５２との間に嵩上げ支柱１を挟んでボルト締めすることで嵩上げ支柱１に対し支え柱３を接続固定するようになっている。
また、この第２固定金具５は、支え柱３に対し角度調整可能に取り付けられることにより、支え柱３を任意の傾斜角度で取り付けることができるようになっている。
【００２２】
前記スクリュー杭６は、支え柱３の下端部をガードフェンス７の設置付近の地面に設置固定する役目をなすもので、支え柱３の下端部に対し着脱可能で、かつ、角度調整可能な状態に取り付けられている。
【００２３】
次に、この実施例１の作用を説明する。
この実施例１のガードフェンス嵩上げ構造では、上述のように構成されるため、まず、既設のガードフェンス７の各既設支柱７１の上部側面に沿って嵩上げ支柱１の下端部を２個の第１固定金具４で接続固定する。
次に、両嵩上げ支柱１、１間に鉄線２１を張って嵩上げフェンスのネット２を形成する。
次に、ガードフェンス７の設置付近の地面にスクリュー杭６をねじ込み固定し、支え柱３の下端部をスクリュー杭６の上端部にボル・ナットで仮締めし、支え柱３の上端部を嵩上げ支柱１の中途部に第２固定金具５で固定した後、支え柱３の下端部をスクリュー杭６の上端部に本締め固定することにより、ガードフェンス７の嵩上げ作業を完了する。
【００２４】
次に、この実施例１の効果を説明する。
この実施例１のガードフェンス嵩上げフェンス構造では、上述のように、嵩上げ支柱１の下端部に備えた第１固定金具４により、該嵩上げ支柱１をガードフェンス７の既設支柱７１の上部側面に沿って容易に接続固定することができる。
また、支え柱３の上端部に備えた第２固定金具５と下端部に備えたスクリュー杭６により、支え柱３で嵩上げ支柱１と地面との間を傾斜状態で支持することができる。
従って、フェンスの支持強度を維持しつつ、既設のガードフェンス７を容易に嵩上げすることができるようになるという効果が得られる。
【００２５】
また、支え柱３に対し第２固定金具５の角度調整が可能であるため、支え柱３を任意の傾斜角度に設定することができる。
【００２６】
また、スクリュー杭６は、支え柱３の下端部に対し着脱可能であるため、先ず地面にスクリュー杭６をねじ込み固定した後に、支え柱３に連結することができる。
また、支え柱３に対しスクリュー杭６の連結角度調整が可能であるため、スクリュー杭６のねじ込み角度と支え柱３の傾斜角度を任意に設定することができる。
【００２７】
また、嵩上げ支柱１には複数の線材挿通孔１１を備えるため、線材挿通孔１１を利用して両嵩上げ支柱１、１間に複数本の鉄線２１を張って嵩上げフェンスのネット２を容易に構成することができる。
【００２８】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２９】
この実施例２は、実施例１における第１固定金具の他の例を示すものであり、図７に示すように、ガードフェンス７の既設支柱７1が丸パイプの場合の第１固定金具４を示す。
【００３０】
以上、実施例を説明してきたが、本発明は上述の実施例に限られるものではなく、本発明の要旨を逸脱しない範囲の設計変更等があっても、本発明に含まれる。
【００３１】
例えば、実施例では、鉄線２１でネット２を構成させたが、ネットを取り付ける等、その構成は任意である。
【００３２】
また、実施例では、支え柱３の地面への設置固定手段としてスクリュー杭６を用いたが、打ち込み杭を用いることができる。
【符号の説明】
【００３３】
１  嵩上げ支柱
１１  線材挿通孔
２  ネット
２１  鉄線（線材）
３  支え柱
４  第１固定金具
４１  平板
４２  湾曲板
５  第２固定金具
５１  平板
５２  湾曲板
６  スクリュー杭
７  ガードフェンス
７１  既設支柱
【図１】
2014227763.tif 000003
【図２】
2014227763.tif 000004
【図３】
2014227763.tif 000005
【図４】
2014227763.tif 000006
【図５】
2014227763.tif 000007
【図６】
2014227763.tif 000008
【図７】
2014227763.tif 000009